(57)【要約】【課題】ケースの剛性を確保できるとともに、バッテリの取り出しやすいポータブルプリンタにおけるバッテリ交換装置を提供する。【解決手段】バッテリ５０の側面後端縁には突起部６２が設けられている。装填されたバッテリ５０を取り出す場合は、この突起部６２に爪を引っ掛けて取り出す。これにより、バッテリ５０の取り出しが容易になる。また、外装ケース１２に形成する切欠き部６４も最小限に留めることができ、外装ケース１２の剛性低下を防止できる。【選択図】図４
2010274659.tif 000002
【特許請求の範囲】
【請求項１】
ケースの表面に形成されたバッテリ挿入口からバッテリを挿入して装填するポータブルプリンタにおけるバッテリ交換装置であって、
前記バッテリは、その側面後端縁に、前記バッテリ挿入口へのその挿入取り出し方向に直交する爪掛け用の突起部が突出して形成されていることを特徴とするポータブルプリンタにおけるバッテリ交換装置。
【請求項２】
前記突起部は、棒状に形成されていることを特徴とする請求項１記載のポータブルプリンタにおけるバッテリ交換装置。
【請求項３】
前記突起部は、断面半円形状に形成されていることを特徴とする請求項１または２記載のポータブルプリンタにおけるバッテリ交換装置。
【発明の詳細な説明】
【技術分野】
【０００１】
本発明はポータブルプリンタにおけるバッテリ交換装置に係り、特に利用者が携帯して使用するバッテリ内蔵型のポータブルプリンタにおけるバッテリ交換装置に関する。
【背景技術】
【０００２】
ポータブルプリンタは利用者が携帯して使用するものであるため、バッテリを内蔵している。このバッテリは交換できるようにされており、利用者は、図６に示すように、外装ケース１に形成されたバッテリ蓋２を開けてバッテリ３の交換を行うようになっている。
【０００３】
ところで、バッテリ３は外装ケース１内に完全に収容されてしまうものであるため、交換時にバッテリ３が抜き取りにくいという問題があった。このため、従来のポータブルプリンタでは、図６に示すように、バッテリ３の後端部側面位置に滑り止め４を形成し、この滑り止め４に指の腹を引っ掛けてバッテリ３を抜き取りやすいようにしている。
【先行技術文献】
【特許文献】
【０００４】
【特許文献１】特開平１１−２７７８１２号公報
【特許文献２】特開平１１−２５４７８９号公報
【特許文献３】特開平０４−０９２３６２号公報
【特許文献４】実願昭５９−０４９２７１号（実開昭６０−１６０４６６号公報）
【発明の概要】
【発明が解決しようとする課題】
【０００５】
しかしながら、従来のポータブルプリンタのように、バッテリ３に滑り止め４を形成すると、その滑り止め４に指の腹が引っ掛かるようにするために、外装ケース１に指の形状に合った大きな切欠き部５を形成しなければならないという欠点があった。そして、このような大きな切欠き部５を形成すると、外装ケース１の剛性が低下するとともに、外観の意匠性も損なうという欠点があった。
【０００６】
本発明はこのような事情に鑑みて成されたもので、ケースの剛性を確保できるとともに、バッテリの取り出しやすいポータブルプリンタにおけるバッテリ交換装置を提供することを目的とする。
【課題を解決するための手段】
【０００７】
本発明は前記目的を達成するために、ケースの表面に形成されたバッテリ挿入口からバッテリを挿入して装填するポータブルプリンタにおけるバッテリ交換装置であって、前記バッテリは、その側面後端縁に、前記バッテリ挿入口へのその挿入取り出し方向に直交する爪掛け用の突起部が突出して形成されていることを特徴とするポータブルプリンタにおけるバッテリ交換装置を提供する。
前記突起部は、棒状に形成されていることができる。
前記突起部は、断面半円形状に形成されていることができる。
【発明の効果】
【０００８】
本発明によれば、バッテリは、バッテリの側面後端縁に設けられた突起部に爪を引っ掛けて取り出す。このような構成とすることにより、従来、ケースに形成していた切欠きをなくすことも可能であり、また、形成したとしても最小限に留めることができる。これにより、ケースの剛性低下を防止できるとともに、取り出し作業も容易になる。
【図面の簡単な説明】
【０００９】
【図１】本発明に係るバッテリ交換装置を装備したポータブルプリンタを正面側から見た斜視図である。
【図２】本発明に係るバッテリ交換装置を装備したポータブルプリンタを背面側から見た斜視図である。
【図３】外装ケースの側面図である。
【図４】バッテリ挿入口の構成を示す斜視図である。
【図５】バッテリ挿入口の構成を示す斜視図である。
【図６】従来のポータブルプリンタのバッテリ挿入口の構成を示す斜視図である。
【発明を実施するための形態】
【００１０】
以下添付図面に従って本発明に係るポータブルプリンタにおけるバッテリ交換装置の好ましい実施例について詳説する。
【実施例】
【００１１】
図１は、本発明に係るバッテリ交換装置を装備したポータブルプリンタを正面側から見た斜視図であり、図２は、本発明に係るバッテリ交換装置を装備したポータブルプリンタを背面側から見た斜視図である。同図に示すように、このポータブルプリンタ１０の外装ケース１２は偏平状の箱型に形成されており、ケース本体１４とフロントカバー１６とで構成されている。
【００１２】
ケース本体１４は、上部が円弧状の箱型に形成されており、その正面部に開口部が形成されている。フロントカバー１６は、このケース本体１４の開口部を覆うように取り付けられており、その下半分が円弧状に膨らみをもって形成されている。
【００１３】
ここで、図３に示すように、フロントカバー１６の両側面下部には、それぞれ支持片２０、２０が突出して形成されており、各支持片２０、２０には、それぞれ嵌合孔２２、２２が貫通して形成されている。一方、ケース本体１４の両側面下部には、それぞれ外側に向けて支軸２４、２４が突出して形成されている。フロントカバー１６に形成された支持片２０、２０の嵌合孔２２、２２は、この支軸２４、２４に嵌合されており、これによりフロントカバー１６が支軸２４、２４を中心に回動自在に支持される。そして、このフロントカバー１６が回動することにより、ケース本体１４に形成された開口部が開閉される。
【００１４】
なお、このフロントカバー１６は、閉じられると図示しないロック機構によって自動的にロックされるようになっており、フロントカバー１６を開ける場合は、このロックを図示しない開閉レバーで解除して開けるようになっている。
【００１５】
以上のように構成された外装ケース１２の両側面部には、それぞれサイドカバー２６、２６が取り付けられている。このサイドカバー２６、２６は、軟質樹脂で成形されており、外装ケース１２は、このサイドカバー２６、２６によって横方向から受ける衝撃を緩和できるようになっている。
【００１６】
また、図２に示すように、外装ケース１２の背面部には、帯状に形成された一対の背面パッド３２、３２が所定の間隔をもって並列して取り付けられている。この一対の背面パッド３２、３２は、軟質樹脂で成形されており、外装ケース１２の背面上端部近傍から外装ケース１２の底面にかけて取り付けられている。
【００１７】
一方、外装ケース１２の正面部には、フロントカバー１６の下部円弧部に３本の緩衝パッド３４、３４、３４が所定の間隔をもって配設されている。この緩衝パッド３４は、軟質樹脂によって断面半円形状に形成されており、フロントカバー１６の支軸２４と平行に配設されている。外装ケース１２は、この緩衝パッド３４、３４、３４によって落下時の衝撃を緩和できるようになっている。
【００１８】
また、この外装ケース１２の背面には、コネクタ収納室３８が形成されている。このコネクタ収納室３８内には、コネクタ３６が収納配置されており、このコネクタ３６にケーブル４０を介してハンディーターミナル等の外部機器が接続される。
【００１９】
なお、このコネクタ３６に接続されたケーブル４０は、背面パッド３２、３２に形成されたケーブルガイド溝３２ａ、３２ａ、…に嵌め込むことにより、スムーズなケーブルルートを形成することができるようになっている。
【００２０】
また、コネクタ収納室３８には、図示しない蓋が着脱自在に取り付けられるようになっており、水や埃等の異物の侵入を防止できるようにされている。
【００２１】
以上のように構成された外装ケース１２の内部には、印字装置やラベル給送装置、コントロールユニット等の印字に必要な種々の機構が内蔵されている。
また、フロントカバー１６を開くとラベルの装填室が露出し、この装填室にロール状に巻回されたラベルが装填される。装填室に装填されたラベルは、印字装置に給送されて所望の情報が印字されたのち、外装ケース１２の正面中央位置に配置されたラベル取出口１８から排出される。
【００２２】
ところで、上記のポータブルプリンタ１０は、利用者が携帯して使用するものであるため、その電源としてバッテリ５０を内蔵している。このバッテリ５０は交換可能とされており、外装ケース１２の側面に形成されたバッテリ挿入口４４からバッテリ室（不図示）に装填するようにされている。
【００２３】
ここで、このバッテリ５０は、図４及び図５にその一部が示されているように、四角い棒状に形成されており、その軸線に沿って挿入するようにされている。一方、バッテリ挿入口４４は、このバッテリ５０の形状に合わせて矩形状に形成されており、蓋５２で開閉できるようにされている。この蓋５２は、サイドカバー２６に一体成形されており、その内面には補強用のリブ５４が一体成形されている。また、この蓋５２の先端部には、一対の止部５６、５６が突出して形成されており、この止部５６、５６を外装ケース１２に形成された止穴５８、５８に嵌入させることにより、蓋５２が閉状態でロックされる。
【００２４】
バッテリ挿入口４４から挿入されたバッテリ５０は、図５に示すように、バッテリ挿入口４４に設けられたストッパーピン６０によって抜け止めされる。
このストッパーピン６０は出没自在に設けられており、図示しないスプリングで突出方向に付勢されている。バッテリ５０を装填する際は、このストッパーピン６０を押し下げてバッテリ５０をバッテリ挿入口４４から挿入する。押し下げられたストッパーピン６０は、バッテリ５０がバッテリ室に装填されると、自動的に突出してバッテリ５０の端面に係合する。そしてこれにより、バッテリ５０が抜け止めされる。
【００２５】
ところで、バッテリ５０は消耗品であるため、その容量がなくなると、充電あるいは新たなものに交換することが必要になる。そして、バッテリ５０を充電あるいは交換するには、現在装填されているバッテリ５０をバッテリ室から取り出すことが必要となる。本実施例のバッテリ交換装置を装備したポータブルプリンタ１０では、このバッテリ５０の取り出し作業を容易にするために、バッテリ５０が、次のように構成されている。
【００２６】
図４及び図５に示すように、バッテリ５０には、一方側の側面後端縁に棒状の突起部６２が取り付けられている。この突起部６２は断面半円形状に形成されており、利用者はこの突起部６２に爪を引っ掛けてバッテリ５０をバッテリ室から取り出す。バッテリ挿入口４４には、この突起部６２に爪を引っ掛けるための半円形状の切欠き部６４が形成されている。
【００２７】
前記のごとく構成された本実施例のバッテリ交換装置を装備したポータブルプリンタ１０でバッテリ５０の交換は、次のように行われる。
【００２８】
まず、消耗したバッテリ５０を取り出す。
この場合、まず、蓋５２を開ける。次に、ストッパーピン６０を押し下げ、バッテリ５０の抜け止めを解除する。そして、切欠き部６４を利用して突起部６２に爪を引っ掛け、そのままバッテリ５０を引き抜く。
【００２９】
次に、新たなバッテリ５０を装填する。この場合、まず、ストッパーピン６０を押し下げる。そして、バッテリ５０をバッテリ挿入口４４から挿入する。
バッテリ５０がバッテリ室に装填されると、ストッパーピン６０が自動的に突出するので、ストッパーピン６０が突出したことを確認したのち、蓋５２を閉める。
【００３０】
このように、本実施例のバッテリ交換装置を装備したポータブルプリンタ１０では、バッテリ５０に突起部６２が形成されているため、その取り出し作業を極めて簡単に行うことができる。
【００３１】
この際、突起部６２に爪を引っ掛けるための切欠き部６４を外装ケース１２に形成するが、その面積は極めて小さいものとなるため、外装ケース１２の剛性を低下させることもない。
【００３２】
なお、この切欠き部６４は、突起部６２に爪を引っ掛けやすくし、より取り出し作業を容易にするためのものであるため形成しなくてもよい。この場合、全く切欠き部がなくなるので、外装ケース１２の剛性を更に向上させることができる。
【００３３】
以上説明したように、本発明によれば、バッテリに突起部を設け、この突起部を利用してバッテリの取り出し作業を行うため、きわめて簡単にバッテリの取り出し作業を行うことができる。また、従来、ケースに形成していた切欠きをなくすことも可能であり、形成したとしても最小限に留めることができるので、ケースの剛性低下を防止できる。
【符号の説明】
【００３４】
１０…ポータブルプリンタ、１２…外装ケース、１４…ケース本体、１６…フロントカバー、１８…ラベル取出口、２０…支持片、２２…嵌合孔、２４…支軸、２６…サイドカバー、３２…背面パッド、３４…緩衝パッド、３６…コネクタ、３８…コネクタ収納室、４０…ケーブル、４４…バッテリ挿入口、５０…バッテリ、５２…蓋、５４…リブ、５６…止部、５８…止穴、６０…ストッパーピン、６２…突起部、６４…切欠き部
【図１】
2010274659.tif 000003
【図２】
2010274659.tif 000004
【図３】
2010274659.tif 000005
【図４】
2010274659.tif 000006
【図５】
2010274659.tif 000007
【図６】
2010274659.tif 000008